(57)【要約】      （修正有）【課題】使用者などにとって不安感がなくて安全でかつ軽量であり、非常に簡単な構成でかつ非常に安価である床板起伏方式のベッド構造を提供する。【解決手段】床板構造２６が、一枚板から構成された上半身用床板部３１と、一枚板から構成された下半身用床板部３２と、上半身用床板部３１を下半身用床板部３２に回動可能に連結する第１のヒンジ手段３３ａ、３３ｂとを備えている。そして、上半身用床板部３１が第２のヒンジ手段３６ａ、３６ｂによって床板支持手段１２に回動可能に支持されている。また、使用者がその背部を上半身用床板部３１から持ち上げたときに、駆動機構による作動力が床板構造２６に加わることがなくて、使用者の体重移動のみによって、上半身用床板部３１が起立した最大起立状態が得られる。【選択図】図２
0003185930.tif 000002
【実用新案登録請求の範囲】
【請求項１】
使用者をそのほぼ上側面に支持することができる床板構造と、上記床板構造をそのほぼ上側に支持することをできる床板支持手段とを備え、
上記床板構造は、一枚板から構成された上半身用床板部と、一枚板から構成された下半身用床板部と、上記上半身用床板部を上記下半身用床板部に回動可能に連結する第１のヒンジ手段とを備え、
上記床板支持手段は、上記上半身床板部をほぼ水平な状態に保持することができる上半身用床板支持構造を備え、
上記上半身用床板部は、第２のヒンジ手段によって、上記床板支持手段に回動可能に支持され、
上記使用者がそれぞれほぼ水平になっている上記上半身用床板部および下半身用床板部上に寝転がっている状態において、上記使用者がその背部を上記上半身用床板部から持ち上げたときに、駆動機構による作動力が上記床板構造に加わることがなくて、上記使用者の体重移動のみによって、上記上半身用床板部が或る程度起立した最大起立状態が得られるように構成したことを特徴とする床板起伏方式のベッド構造。
【請求項２】
上記下半身用床板部の前端部付近および上記上半身用床板部の後端部付近のうちの少なくとも一方が上記床板支持手段に当接することによって、上記最大起立状態が得られるように構成したことを特徴とする請求項１に記載のベッド構造。
【請求項３】
上記上半身用床板部が上記ほぼ水平な状態から上記最大起立状態になったときの最大起立角度が３０°〜４０°の範囲であることを特徴とする請求項１または２に記載のベッド構造。
【考案の詳細な説明】
【技術分野】
【０００１】
本考案は、使用者をそのほぼ上側面に支持することができる床板構造と、上記床板構造をそのほぼ上側に支持することをできる床板支持手段とを備え、上記床板構造は、上半身用床板部と、下半身用床板部と、上記上半身用床板部を上記下半身用床板部に回動可能に連結するヒンジ手段とを備え、上記床板支持手段は、上記上半身床板部をほぼ水平な状態に保持することができる上半身用床板支持構造を備えた床板起伏方式のベッド構造に関するものである。
【背景技術】
【０００２】
本考案者は、特許文献１に開示されているように、上述のような床板起伏方式のベッド構造をすでに提案している。
【先行技術文献】
【特許文献】
【０００３】
【特許文献１】特開２０１０−２４６８７２号公報
【考案の開示】
【考案が解決しようとする課題】
【０００４】
しかし、特許文献１に開示されている床板起伏方式のベッド構造の場合には、下半身用床板部がひざ用床板部と脚用床板部とに分離されている。そして、上記脚用床板部は、ヒンジ部によって、上記ひざ用床板部に連結されている。また、上記床板支持手段には、上記ひざ用床板部および上記脚用床板部のそれぞれを上方位置に保持するための斜支材が配設されている。さらに、上記斜支材と上記ひざ用床板部との間には、上記斜支材に対して上記ひざ用床板部を上方に付勢するための圧縮コイルばねが介装されている。そして、上半身用床板部と上記床板支持手段との間には、上記上半身用床板部を或る程度起立させるために作動する駆動機構としての人工的なアクチュエータが介装されている。
【特許文献１】特開２０１０−２４６８７２号公報
【０００５】
したがって、特許文献１のベッド構造の場合には、３種類の床板部の動作が複雑になるので、床板構造およびその作動部分の構成がトータル的に複雑になる。そして、床板構造には、上記圧縮コイルばねおよび上記アクチュエータが配設されているので、３種類の床板部の起伏動作が使用者（特に、高齢の使用者）に精神的な負担や動揺（換言すれば、不安感）を与える可能性があり、また、使用者が負傷する可能性が生じ、さらに、ベッド構造の重量が大きくなるとともに、ベッド構造が高価になる。
【特許文献１】特開２０１０−２４６８７２号公報
【０００６】
本考案は、特許文献１に開示されている床板起伏方式のベッド構造における上述のような欠点を簡単で安価な構成でもって効果的に解決するようにしたものである。
【特許文献１】特開２０１０−２４６８７２号公報
【課題を解決するための手段】
【０００７】
本考案は、使用者をそのほぼ上側面に支持することができる床板構造と、上記床板構造をそのほぼ上側に支持することをできる床板支持手段とを備え、上記床板構造は、一枚板から構成された上半身用床板部と、一枚板から構成された下半身用床板部と、上記上半身用床板部を上記下半身用床板部に回動可能に連結する第１のヒンジ手段とを備え、上記床板支持手段は、上記上半身床板部をほぼ水平な状態に保持することができる上半身用床板支持構造を備え、上記上半身用床板部は、第２のヒンジ手段によって、上記床板支持手段に回動可能に支持され、上記使用者がそれぞれほぼ水平になっている上記上半身用床板部および下半身用床板部上に寝転がっている状態において、上記使用者がその背部を上記上半身用床板部から持ち上げたときに、駆動機構による作動力が上記床板構造に加わることがなくて、上記使用者の体重移動のみによって、上記上半身用床板部が或る程度起立した最大起立状態が得られるように構成したことを特徴とする床板起伏方式のベッド構造に係るものである。
【０００８】
本考案においては、上記下半身用床板部の前端部付近および上記上半身用床板部の後端部付近のうちの少なくとも一方が上記床板支持手段に当接することによって、上記最大起立状態が得られるように構成するのが好ましい。また、上記上半身用床板部が上記ほぼ水平な状態から上記最大起立状態になったときの最大起立角度が３０°〜４０°の範囲であるのが好ましい。
【考案の効果】
【０００９】
本考案によれば、床板構造の上半身用床板部および下半身用床板部のそれぞれが１枚板構造であるから、床板構造が簡単な構成であり、このために、安価なベッド構造を提供することができる。また、床板構造の上半身用床板部と下半身用床板部とのうちの少なくとも一方を作動させるための駆動機構が設けられておらず、上半身用床板部および下半身用床板部のそれぞれは、使用者などの人力によって作動されることができる。このために、使用者などにとって不安感がなくて安全でかつ軽量なベッド構造を提供することができ、また、ベッド構造がさらに簡単な構成であり、したがって、さらに安価なベッド構造を提供することができる。
【００１０】
また、請求項２に係る考案によれば、上半身用床板部および下半身用床板部のそれぞれが、上記上半身用床板部の最大起立状態において、安定した状態で床板支持手段に確実に位置保持されることができる。さらに、請求項３に係る考案によれば、上半身用床板部が最大起立状態になっているときに、使用者がその背中部分付近によって比較的小さな力を上半身用床板部に加えるだけでもって、上半身用床板部を最大起立状態からほぼ水平な状態に簡単かつ確実に変更させることができるとともに、使用者が最大起立状態において読書やテレビ視聴を安楽な姿勢で良好に行うことができる。
【図面の簡単な説明】
【００１１】
【図１】本考案の第１の実施例による床板起伏方式のベッド構造の、床板面がほぼ水平な状態でかつマットレスの図示を省略した斜視図である。（実施例１）
【図２】図１に示すベッド構造の、床板面が最大起立状態まで起立した状態での斜視図である。（実施例１）
【図３】図１に示すベッド構造の、床板面がほぼ水平な状態でかつ使用状態での右側面図である。（実施例１）
【図４】図３に示すベッド構造の、床板面が最大起立状態まで起立した状態でかつ使用状態での右側面図である。（実施例１）
【図５】本考案の第２の実施例による床板起伏方式で別誂えの台付きベッド構造の、図３とほぼ同様の右側面図である。（実施例２）
【考案を実施するための形態】
【００１２】
つぎに、本考案を適用した第１および第２の実施例における床板起伏方式のベッド構造を、「１、第１の実施例」および「２、第２の実施例」に項分けして、図面を参照しつつ説明する。
【００１３】
１、第１の実施例
【００１４】
つぎに、本発明の第１の実施例における床板起伏方式のベッド構造を、「（１）床板支持機構の構成」、「（２）床板構造の構成」および「（３）ベッド構造の作用効果」に項分けして、図１〜図４を参照しつつ説明する。
【００１５】
（１）床板支持機構の構成
【００１６】
ベッド構造１０の床板支持機構１１は、図１、図２などに示すように、平面的に見てほぼ長方形のほぼ板形状であってよい主要な床板支持手段としての床板支持板１２と、この床板支持枠１２のほぼ四隅と左右両側端部の前後方向におけるほぼ中間の箇所との合計６ヶ所からそれぞれほぼ下方に延在している６本の脚部１３とをそれぞれ備えていてよい。そして、床板支持板１２上には、この床板支持板１２の前側端部にほぼ沿ってこの前側端部からほぼ上方に向って突設されたヘッドボード部１４と、このヘッドボード部１４の後側端部の側にほぼ隣接してほぼ上方に向って突設された平面的に見てほぼコ字状の突壁部１５と、この突壁部１５の左右両端部の先端部付近にその左右両端部をそれぞれ連結されてほぼ上方に向って突設された横棧部１６と、床板支持板１２の後側端部にほぼ沿ってこの後側端部からほぼ上方に向って突設された後側支持壁部１７とがそれぞれ配設されている。
【００１７】
ほぼコ字状の突壁部１５は、図２、図３などに示すように、ヘッドボード部１４にほぼ隣接している中間部２１と、この中間部２１の左右両側端部にそれらの基端部をそれぞれ連結されていて上記中間部２１の左右両側端部からほぼ後方に向って延在している左右一対の腕部２２、２３とをそれぞれ備えている。そして、横棧部１６の左右両側端部がこれら左右一対の腕部２２、２３の先端部にそれぞれ連結されている。なお、横棧部１６は、この横棧部１６の下端面を床板支持板１２に連結固定されていてもよいし、ほぼコ字状の突壁部１５の左右一対の腕部２２、２３にこの横棧部１６の左右一対の両側端部をそれぞれ連結固定されていてもよいし、これら２種類の連結固定の両方が行われていてもよい。したがって、ほぼコ字状の突壁部１５と横棧部１６とによって、上半身用床板支持手段としてのほぼロ字状の支持枠部（換言すれば、ほぼ四角形状の上半身用床板支持機構）２４が構成されている。さらに、後側支持壁部１７は、ヒンジ手段としての左右一対のヒンジ部材２５ａ、２５ｂによって、床板支持板１２の後側端部に回動可能に連結されている。
【００１８】
（２）床板構造の構成
【００１９】
ベッド構造１０の床板構造２６は、図４などに示すように、このベッド構造１０を使用する者（すなわち、使用者）２７のほぼ上半身を支持することができる上半身用の床板部３１と、使用者２７のほぼ下半身を支持することができる下半身用の床板部３２とを備えている。そして、上半身用床板部３１と、下半身用床板部３２とは、ヒンジ手段としての左右一対のヒンジ部材３３ａ、３３ｂによって、互いに回動可能に連結されている。なお、上半身用床板部３１および下半身用床板部３２のそれぞれは、木材、プラスチックなどの適当な材料から構成された１枚板であってよく、特に１枚の平板形状であってよい。
【００２０】
下半身用床板部３２のほぼ後端部には、図２などに示すように、フットボード部３４がほぼ上方に向かって突設されている。なお、フットボード部３４は、下半身用床板部３２に一体的に連結固定されていてよく、この下半身用床板部３２に対してほぼ直角を成していてよい。そして、下半身用床板部３２のほぼ後端部と、後側支持壁部１７のほぼ上端部とは、図２、図３などに示すように、ヒンジ手段としての左右一対のヒンジ部材３５ａ、３５ｂによって、互いに回動可能に連結されている。また、横桟部１６のほぼ後側面部のほぼ上端部と、上半身用床板部３１の前後方向におけるほぼ所定の箇所とは、図３、図４などに示すように、ヒンジ手段としての左右一対のヒンジ部材３６ａ、３６ｂによって、互いに回動可能に連結されている。なお、ヒンジ部材２５ａ、２５ｂ、３３ａ、３３ｂ、３５ａ、３５ｂ、３６ａ、３６ｂ（特に、これらのヒンジ部材のそれぞれの一対のプレート）のそれぞれは、図１〜図４に示すように、床板支持板１２、横桟部１６、後側支持壁部１７および床板構造２６のそれぞれにほぼ埋め込み状態で取付けられることができる。
【００２１】
（３）ベッド構造の作用効果
【００２２】
図１〜図４に示すベッド構造１０を使用するに当っては、図３および図４に示すように、床板構造２６のほぼ上面にマットレス４１、布団などのうちの少なくとも一種の敷物を敷設すればよい。そして、使用者２７は、図３に示すように、敷物４１上に寝転がるか、あるいは、図４に示すように、上半身４２を後方に或る程度傾斜させた状態（換言すれば、ほぼ水平な状態から或る程度起立させた状態）でもって敷物４１上に腰掛ければよい。なお、この図４に示す状態においては、使用者２７は、下半身４３を敷物４１上に投げ出しておけばよい。この場合、使用者２７のほぼ上半身４２は、マットレス４１の前側の一半部分を介して、上半身用床板部３１にほぼ対向している。そして、使用者２７のほぼ下半身４３は、マットレス４１の後側の他半部分を介して、下半身用床板部３２にほぼ対向している。
【００２３】
図３などに示すベッド機構１０は、床板構造２６を作動させるための駆動機構を備えてはいない。なお、このような駆動機構は、圧縮コイルばね、その他のばね手段、上記ばね手段を備えたガススプリングなどの人工的なアクチュエータを意味している。したがって、床板構造２６は、ヒンジ部材３６ａ、３６ｂの回動中心Ａを支点とする前端部の側Ｂの第１の重量分布と後端部の側Ｃの第２の重量分布とに応じて動作する。なお、上記第１および第２の重量分布のそれぞれは、床板構造２６、敷物４１および使用者２７の全体としての重量の分布を意味している。具体的には、上記第１の重量分布による第１の回転モーメント（具体的には、回動中心Ａの左回りの回転モーメント）が上記第２の重量分布による第２の回転モーメント（具体的には、回動中心Ａの右回りの回転モーメント）よりも大きければ、床板構造２６の上半身用床板部３１および下半身用床板部３２は、全体として、図３に示すほぼ水平な状態（換言すれば、ほぼ平坦な状態）に保持される。そして、上記第１の回転モーメントが上記第２の回転モーメントよりも或る程度以上小さくなれば、床板構造２６の上半身用床板部３１および下半身用床板部３２は、全体として、図４に示すほぼ屈曲した状態（換言すれば、ほぼ倒立したほぼ「へ」の字の状態）に保持される。
【００２４】
図３、図４などに示す使用者２７などの人体の重量分布の身長方向における中心（換言すれば、重心）は、一般的には、人体のへそ４４付近の位置にある。したがって、図４に示すようにベッド構造１０を側面から見た状態において、使用者２７のへそ４４の位置が上半身用床板部３１に対するほぼ垂直方向において回動中心Ａとほぼ一致していると、床板構造２６の床板面は、図３に示すほぼ水平な状態に保持されることができるとともに、図４に示すほぼ屈曲した状態にも保持されることができる。なお、図４に示す屈曲状態においては、上半身用床板部３１の後端部と下半身用床板部３２の前側端部とのうちのいずれか一方または両方（図示の実施例においては、下半身用床板部３２の前側端部）が床板支持板１２の上側面に当接して支持されている。
【００２５】
図３に示すように床板面（換言すれば、上半身用および下半身用の床板部３１、３２のそれぞれの上側面）がほぼ水平な状態において、使用者２７が、例えば、上半身４２を敷物４１から上方に浮かせると、上半身用床板部３１は、回動中心Ａを支点として図３に示す時計方向に回動する。このために、下半身用床板部３２の前側端部が図４に示すように床板支持板１２の上側面に当接するので、上半身用床板部３１および下半身用床板部３２のそれぞれは、床板支持板１２および支持枠部２４によって支持される。したがって、上半身用床板部３１の前側端部は、図４に示すように、この上半身用床板部３１の後側端部に対して或る程度立ち上った傾斜状態になる。これとともに、下半身用床板部３２も、その前側端部が下降した傾斜状態になる。さらに、後側支持壁部１７は、ヒンジ部材２５ａ、２５ｂの回動中心を支点として、床板支持板１２に対して下半身用床板部３２の前側端部の側に多少前傾する。そして、この前傾時には、後側支持壁部１７は、ヒンジ部材３５ａ、３５ｂの回動中心を支点として、下半身用床板部３１に対して図３の反時計方向に僅かに回動した状態になるので、後側支持壁部１７と下半身用床板部３２との成す角度は、僅かながら大きくなる。
【００２６】
床板構造２６の床板面が全体として図４に示すようにほぼ屈曲した状態において、上記床板面が全体としてほぼ水平な状態になるようにするときには、使用者２７が、例えば、上半身４２を敷物４１（換言すれば、上記床板面）に押し付ければよく、この場合、上半身用床板部３１は、回動中心Ａを支点として図４に示す反時計方向に回動する。このために、下半身用床板部３２の前側端部が、図３に示すように、床板支持板１２の上側面から浮き上がる。したがって、上半身用床板部３１は、図３に示すように、ほぼロ字状の支持枠部１８上にほぼ水平な状態で支持される。これとともに、下半身用床板部３２も、その前側端部が上昇したほぼ水平な状態になる。さらに、後側支持壁部１７は、ヒンジ部材２５ａ、２５ｂの回動中心を支点として、床板支持板１２に対してほぼ垂直に直立した状態になる。そして、後側支持壁部１７は、図３に示す状態に復動する。
【００２７】
図４に示すように床板面が屈曲した状態においては、床板面（換言すれば、床板支持板１２）と上半身用床板部３１との成す角度（換言すれば、上半身用板部３１の傾斜角度）θは、約３５°である。しかし、上記傾斜角度θは、必ずしも約３５°である必要はなく、使用者２７の体型、嗜好などによって変更されることができる。この場合、上記傾斜角度θは、一般的に言って、３０°〜４０°の範囲であるのが好ましい。なお、上記傾斜角度θは、ベッド構造１０の製作時に決定することができる。具体的には、ほぼロ字状の支持枠部１８の左右一対の腕部２２、２３の長さを適当な値に選択するなどして、支持枠部１８の後側端部（換言すれば、支点Ａ）の位置を前方または後方にずらすことによって、傾斜角度θを３０°〜４０°の範囲内で変更すればよい。そして、傾斜角度θが図２に示す３５°の状態から３０°または４０°の状態に変更するためには、支持枠部１８の後側端部の位置を２〜３ｃｍ程度前方また２〜３ｃｍ程度後方に変更すればよい。
【００２８】
図１〜図４に示すベッド構造によれば、床板構造２６の上半身用床板部３１および下半身用床板部３２のそれぞれが１枚板構造であるので、床板構造２６が簡単な構成であり、このために、安価なベッド構造１０を提供することができる。また、床板構造２６の上半身用床板部３１、下半身用床板部３２およびフットボード部３４のうちのいずれかを作動させるための駆動機構が設けられておらず、上半身用床板部３１、下半身用床板部３２およびフットボード部３４のそれぞれは、使用者２７などの人力によって作動されることができる。このために、使用者２７などにとって不安感がなくて安全でかつ軽量なベッド構造１０を提供することができ、また、ベッド構造１０がさらに簡単な構成であり、したがって、さらに安価なベッド構造１０を提供することができる。
【００２９】
なお、本考案者は、図１〜図４に示す床板起伏方式のベッド構造１０をすでに使用している。そして、この使用に際しては、本考案者は、上半身用床板部３１および下半身用床板部３２を、全体として、図３に示すほぼ水平な状態に保持して、夜間などの睡眠などを行っている。また、本考案者は、上半身用床板部３１および下半身用床板部３２を、全体として、図４に示すほぼ屈曲した状態に保持して、読書、テレビ視聴、昼寝などを行っている。そして、この結果として、上記使用の期間が１〜２ヶ月間であるにもかかわらず、上記使用前にはやや前屈みであった本考案者の腰が、日が経つにつれて、苦もなく自然に伸びるようになってきている。
【００３０】
２、第２の実施例
【００３１】
図５に示す第２の実施例における床板起伏方式のベッド構造５０は、以下に記述する点を除いて、特に矛盾を生じない限り既述の第１の実施例における床板起伏方式のベッド構造１０と実質的に同一の構成を有しかつ同一の作用効果を奏するものであってよい。そして、第２の実施例における第１の実施例と共通の部分には、必要に応じて、第１の実施例の場合と同一の符号を付している。なお、この第２の実施例においては、図５に示すように、第１の実施例における６本の脚部１３が省略されているので、床板支持手段としての床板支持板１２の下側面がほぼ平坦に構成されている。そして、第２の実施例においては、床板支持板１２の厚みが、第１実施例の場合に較べて、必要に応じて薄く構成されている。
【００３２】
第２の実施例においては、図５に示すように、ベッド載置用の台構造５１がベッド構造５０とは別体のものとして備えられている。そして、この台構造５１は、ベッド載置手段としてのベッド載置用台板５２と、このベッド載置用台板５２のほぼ四隅の合計４ヶ所からそれぞれほぼ下方に延在している４本の脚部５３とをそれぞれ備えていてよい。なお、台構造５１は、所定の構成を有する市販のベッド構造を利用したものであってもよい。この場合、市販のベッド構造からマットレスを取り除くことによって、台構造５１が用意されることができる。そして、台構造５１の上面に床板支持板１２を載置すれば、図５に示すように、ベッド構造５０が台構造５１上に配設された床板起伏方式で別誂えの台付きのベッド構造５４が得られる。また、比較的軽量に構成されたベッド構造５０を台構造５１とは別個に持ち運びすることができるから、ベッド構造５０と台構造５１とのそれぞれの持ち運びを比較的容易に行うことができる。
【００３３】
以上、本考案の第１および第２の実施例について詳細に説明したが、本考案は、これらの実施例に限定されるものではなく、実用新案登録請求の範囲に記載された考案の趣旨に基いて各種の変更および修正が可能である。
【００３４】
例えば、上述の実施例においては、上半身用床板部３１および下半身用床板部３２のそれぞれは、１枚の平板形状に構成されている。しかし、上半身用床板部３１および下半身用床板部３２のうちのいずれか一方または両方は、任意の方向に多方湾曲していてもよい。
【００３５】
また、上述の実施例においては、上半身用床板部３１および下半身用床板部３２のそれぞれは、互いに個別の１枚板に構成されてから、ヒンジ手段としての左右一対のヒンジ部材３３ａ、３３ｂによって、互いに回動可能に連結されている。しかし、上半身用床板部３１と下半身用床板部３２との全体が１枚板から構成されていてもよい。そして、この場合には、上記一枚板の長さ方向におけるほぼ中間の位置（換言すれば、図１に示す左右一対のヒンジ部材３３ａ、３３ｂの回動中心Ａの付近）にヒンジ手段としての肉薄ヒンジ部を設けることによって、上記肉薄ヒンジ部において互いに回動可能に構成された上半身用床板部３１と下半身用床板部３２とを構成するようにしてもよい。
【符号の説明】
【００３６】
１０    ベッド構造
１２    床板支持板（主要な床板支持手段）
２４    床板支持機構（ほぼロ字状の支持枠部、上半身用床板支持手段）
２６    床板構造
２７    使用者
３１    上半身用床板部
３２    下半身用床板部
３３ａ  第１のヒンジ部材（第１のヒンジ手段）
３３ｂ  第１のヒンジ部材（第１のヒンジ手段）
３６ａ  第２のヒンジ部材（第２のヒンジ手段）
３６ｂ  第２のヒンジ部材（第２のヒンジ手段）
θ      最大傾斜角度（最大起立角度）
【図１】
0003185930.tif 000003
【図２】
0003185930.tif 000004
【図３】
0003185930.tif 000005
【図４】
0003185930.tif 000006
【図５】
0003185930.tif 000007
【手続補正書】
【提出日】平成25年7月16日(2013.7.16)
【手続補正１】
【補正対象書類名】明細書
【補正対象項目名】０００７
【補正方法】変更
【補正の内容】
【０００７】
本考案は、使用者をそのほぼ上側面に支持することができる床板構造と、上記床板構造をそのほぼ上側に支持することをできる床板支持手段とを備え、上記床板構造は、一枚板から構成された上半身用床板部と、一枚板から構成された下半身用床板部と、上記上半身用床板部を上記下半身用床板部に回動可能に連結する第１のヒンジ手段とを備え、上記床板支持手段は、上記上半身床板部をほぼ水平な状態に保持することができる上半身用床板支持構造を備え、上記上半身用床板部は、第２のヒンジ手段によって、上記床板支持手段に回動可能に支持されていることを特徴とする床板起伏方式のベッド構造に係るものである。
【手続補正２】
【補正対象書類名】明細書
【補正対象項目名】０００９
【補正方法】変更
【補正の内容】
【０００９】
本考案によれば、床板構造の上半身用床板部および下半身用床板部のそれぞれが１枚板構造であるから、床板構造が簡単な構成であり、このために、安価なベッド構造を提供することができる。なお、本考案においては、上記使用者がそれぞれほぼ水平になっている上記上半身用床板部および下半身用床板部上に寝転がっている状態において、上記使用者がその背部を上記上半身用床板部から持ち上げたときに、駆動機構による作動力が上記床板構造に加わることがなくて、上記使用者の体重移動のみによって、上記上半身用床板部が或る程度起立した最大起立状態が得られるように構成することができる。この場合、床板構造の上半身用床板部と下半身用床板部とのうちの少なくとも一方を作動させるための駆動機構が設けられておらず、上半身用床板部および下半身用床板部のそれぞれは、使用者などの人力によって作動されることができる。このために、使用者などにとって不安感がなくて安全でかつ軽量なベッド構造を提供することができ、また、ベッド構造がさらに簡単な構成であり、したがって、さらに安価なベッド構造を提供することができる。
【手続補正３】
【補正対象書類名】実用新案登録請求の範囲
【補正対象項目名】請求項１
【補正方法】変更
【補正の内容】
【請求項１】
使用者をそのほぼ上側面に支持することができる床板構造と、上記床板構造をそのほぼ上側に支持することをできる床板支持手段とを備え、
上記床板構造は、一枚板から構成された上半身用床板部と、一枚板から構成された下半身用床板部と、上記上半身用床板部を上記下半身用床板部に回動可能に連結する第１のヒンジ手段とを備え、
上記床板支持手段は、上記上半身床板部をほぼ水平な状態に保持することができる上半身用床板支持構造を備え、
上記上半身用床板部は、第２のヒンジ手段によって、上記床板支持手段に回動可能に支持されていることを特徴とする床板起伏方式のベッド構造。